(57)【要約】  【目的】  手袋を保持可能とし、必要に応じて着脱でき長時間にわたって快適に着用できる携帯性、防水性、及び防寒性に優れた手袋付きウェアを提供する。  【解決手段】  左右の袖部１１ａを形成したウェア本体１１と、前記袖部１１ａの袖口１３近傍に収納開口部１２ａを設けた手袋収納部１２と、この手袋収納部１２の前記収納開口部１２ａの周縁に、指先を入れる手袋開口部１４ａの一部を取り付けるととともに、前記手袋収納部１２に出し入れ自在に収納可能とした手袋１４とを有する構成とした。【選択図】  図１
2004346474.tif 000002
【特許請求の範囲】
【請求項１】
左右の袖部を形成したウェア本体と、
前記袖部の袖口近傍に収納開口部を設けた手袋収納部と、
この手袋収納部の前記収納開口部の周縁に、指先を入れる手袋開口部の一部を取り付けるととともに、前記手袋収納部に出し入れ自在に収納可能とした手袋と、
を有することを特徴とする手袋付きウェア。
【請求項２】
前記袖部の袖口近傍に、前記収納開口部を開閉自在に封止するカバー部を設けたことを特徴とする請求項１記載の手袋付きウェア。
【請求項３】
前記手袋開口部の周縁に手首シール部を形成し、前記手袋収納部から前記手袋を取り出して装着したときに、前記袖口を覆うようにして前記手袋開口部を閉塞可能としたことを特徴とする請求項１又は２に記載の手袋付きウェア。
【請求項４】
前記手袋の手甲面側に発熱剤パックや吸湿剤パックなどを収納するパック収納部を設けたことを特徴とする請求項１〜３のいずれか１項に記載の手袋付きウェア。
【請求項５】
前記手袋を前記手袋収納部から取り出した状態で、前記手袋を前記手袋収納部の表面に保持する手袋保持手段を備えることを特徴とする請求項１〜４のいずれか１項に記載の手袋付きウェア。
【請求項６】
前記ウェア本体をレインコートとしたことを特徴とする請求項１〜５のいずれか１項に記載の手袋付きウェア。
【発明の詳細な説明】
【技術分野】
【０００１】
この発明は、スポーツや作業等に好適に用いられ、防寒性や防水性に優れたレインコート、カジュアルウェア、作業着などの手袋付きウェアに関する。
【背景技術】
【０００２】
従来、水を扱う作業などの際には、肘の部分まで覆う長さを有する長手袋が用いられることが多かったが、かかる長手袋では、水が飛び散る様な作業を行う場合、袖口から水が入り込んで来たり、着衣が濡れてしまったりするおそれがあった。また、これはあくまでも室内での利用を想定しており、屋外などで雨中の作業を行うには別途レインウェアが必要となる。
【０００３】
そこで、手袋を袖口に一体に取り付けたウェアが提案された。これらは雨中の作業においても用いることができるし、水や塵埃が入り込んでくることや着衣が水などで濡れるおそれをほぼ確実に解消することができる。
【０００４】
かかる手袋一体型のウェアに関連しては、例えば、着衣本体の袖口に手袋を取り付け、手袋の掌面に開口部を設け、着衣本体の上部に首を覆う襟を取り付けた手袋と一体の着衣があった（例えば、特許文献１を参照。）。
【０００５】
また、夫々防水性を有する素材で作られ、作業衣の長袖の袖口に手袋の嵌め口を水密状態で連結して手袋を一体に連結させた作業衣があった（例えば、特許文献２を参照。）。
【特許文献１】特開２００１−１１７０６号公報
【特許文献２】実用新案登録第３０８８４５０号公報
【発明の開示】
【発明が解決しようとする課題】
【０００６】
しかしながら、手袋を一体に連結した上記特許文献１や特許文献２に記載されている従来のウェアは、手袋を使用しない場合についての配慮がなく、ウェアとしての使い勝手に問題があった。
【０００７】
特に、特許文献１に記載の着衣のように、手袋の掌面に開口部を設けたものでは、袖口からの水の侵入を防止できるが、手掌面の開口部から砂や塵埃が手袋の中に入り込むなどの課題があった。
【０００８】
また、特許文献２に記載の手袋を一体に連結させた作業衣では、着用者は常時手袋を装着して用いなければならず、汗による湿気が抜けないために手袋内がべとついて、快適な状態で長時間着用できないという課題があった。
【０００９】
本発明は、上記課題を解決することのできる手袋付きウェアを提供することを目的としている。
【課題を解決するための手段】
【００１０】
請求項１記載の本発明では、左右の袖部を形成したウェア本体と、前記袖部の袖口近傍に収納開口部を設けた手袋収納部と、この手袋収納部の前記収納開口部の周縁に、指先を入れる手袋開口部の一部を取り付けるととともに、前記手袋収納部に出し入れ自在に収納可能とした手袋とを有する手袋付きウェアとした。
【００１１】
請求項２記載の本発明では、請求項１記載の手袋付きウェアにおいて、前記袖部の袖口近傍に、前記収納開口部を開閉自在に封止するカバー部を設けたことを特徴とする。
【００１２】
請求項３記載の本発明では、請求項１又は２に記載の手袋付きウェアにおいて、前記手袋開口部の周縁に手首シール部を形成し、前記手袋収納部から前記手袋を取り出して装着したときに、前記袖口を覆うようにして前記手袋開口部を閉塞可能としたことを特徴とする。
【００１３】
請求項４記載の本発明では、請求項１〜３のいずれか１項に記載の手袋付きウェアにおいて、前記手袋の手甲面側に発熱剤パックや吸湿剤パックなどを収納するパック収納部を設けたことを特徴とする。
【００１４】
請求項５記載の本発明では、請求項１〜４のいずれか１項に記載の手袋付きウェアにおいて、前記手袋を前記手袋収納部から取り出した状態で、前記手袋を前記手袋収納部の表面に保持する手袋保持手段を備えることを特徴とする。
【００１５】
請求項６記載の本発明では、請求項１〜５のいずれか１項に記載の手袋付きウェアにおいて、前記ウェア本体をレインコートとしたことを特徴とする。
【発明の効果】
【００１６】
（１）請求項１に記載の発明によれば、左右の袖部を形成したウェア本体と、前記袖部の袖口近傍に収納開口部を設けた手袋収納部と、この手袋収納部の前記収納開口部の周縁に、指先を入れる手袋開口部の一部を取り付けるととともに、前記手袋収納部に出し入れ自在に収納可能とした手袋とを有する構成としたために、通常は手袋を手袋収納部に保持でき、必要に応じて手袋を手袋収納部から引き出して装着できる。したがって、防寒性及び防水性が高い手袋を必要に応じて装着できる一方、手袋を使用しない状態では、手袋を袖口近傍においてスマートに収納しておけるので邪魔になることがなく、ウェアのデザイン性を損なうこともない。また、手袋を着脱する際に湿気を逃がすことができるので、手袋使用時には長時間にわたって快適かつ衛生的に手袋を着用できる。
【００１７】
（２）請求項２記載の本発明によれば、前記袖部の袖口近傍に、前記収納開口部を開閉自在に封止するカバー部を設けたことにより、上記（１）の効果に加え、袖口の隙間や収納開口部から寒気や雨水等が入り込むことがなく、より防水性に優れた手袋付きウェアを提供できる。
【００１８】
（３）請求項３に記載の発明によれば、前記手袋開口部の周縁に手首シール部を形成し、前記手袋収納部から前記手袋を取り出して装着したときに、前記袖口を覆うようにして前記手袋開口部を閉塞可能としたことにより、上記（１）及び（２）の効果に加え、手袋を手に装着したときに外部の寒気や内部の暖気が手袋開口部から流入することを確実に防止して、防寒性や防水性をさらに高めることができるとともに、手首シール部による新たなデザイン性をカジュアルウェア等のウェアに付加することが容易となる。
【００１９】
（４）請求項４に記載の発明によれば、前記手袋の手甲面側に発熱剤パックや吸湿剤パックなどを収納するパック収納部を設けたことにより、上記（１）〜（３）の効果に加え、手袋内部の保温効果や湿気除去などによる快適性が向上し、手袋を快適に使用するための機能が付加される。
【００２０】
（５）請求項５記載の本発明によれば、請求項１〜４のいずれか１項に記載の手袋付きウェアにおいて、前記手袋を前記手袋収納部から取り出した状態で、前記手袋を前記手袋収納部の表面に保持する手袋保持手段を備えることとしたので、手袋を使用していた状態から手袋を外す必要が生じた場合、手袋をいちいち手袋収納部内に収納することなく、簡単に手袋を手袋収納部の表面において保持することができるので、上記（１）〜（４）の効果に加え、使い勝手がより向上する。
【００２１】
（６）請求項６記載の本発明によれば、前記ウェア本体をレインコートとしたことにより、上記（１）〜（５）の効果に加え、雨天時の各種作業に好適に用いることが可能となるとともに、レインコートとしてのデザイン性を損なうことがない。
【発明を実施するための最良の形態】
【００２２】
本発明に係る手袋付きウェアは、左右の袖部を形成したウェア本体と、前記袖部の袖口近傍に収納開口部を設けた手袋収納部と、この手袋収納部の前記収納開口部の周縁に、指先を入れる手袋開口部の一部を取り付けるととともに、前記手袋収納部に出し入れ自在に収納可能とした手袋とを有する構成としたものである。
【００２３】
また、本発明はレインコートやスポーツウェアなどにも好適に採用できるものであり、ウェアのデザイン性を損なうことなく手袋を手袋収納部に保持することができ、かつ必要に応じて手袋を手袋収納部から引き出して装着することができるので極めて利便性に富むものとなる。
【００２４】
特に、雨の中での作業の場合にレインウェアとして着用する場合、手袋が別体の場合、手袋の開口部分から雨が浸入して手袋内が濡れてしまうが、本実施形態によれば、そのようなおそれもなくなる。また、自転車、自動二輪などの単車を運転する際にも同様な効果を奏するとともに、防寒にもなる。
【００２５】
このように防水性及び防寒性が高い手袋を、必要に応じて装着できる一方、手袋を使用しない状態では、手袋を袖口近傍においてスマートに収納しておけるので邪魔になることがない。また、手袋を着脱する際に湿気を逃がすことができるので、手袋使用時には長時間にわたって快適かつ衛生的に手袋を着用できる。
【００２６】
また、雨天時以外であっても、屋外作業の場合、手袋を装着した状態で作業すれば手の日焼けを効果的に防止することができる。
【００２７】
ところで、本手袋付きウェアは、袖口の隙間や収納開口部から寒気や雨水等が入り込むことがないように、前記袖部の袖口近傍に、前記収納開口部を開閉自在に封止するカバー部を設けることができる。かかる構成によって、より防水性に優れた手袋付きウェアを提供することができる。
【００２８】
また、前記手袋開口部の周縁に手首シール部を形成し、前記手袋収納部から前記手袋を取り出して装着したときに、前記袖口を覆うようにして前記手袋開口部を閉塞可能とすることができる。
【００２９】
かかる構成とすることにより、手袋を手に装着したときに外部の寒気や内部の暖気が手袋開口部から流入することを確実に防止できるので、防寒性や防水性をさらに高めることができる。しかも、手首シール部による新たなデザイン性をカジュアルウェア等のウェアに付加することが容易となる。
【００３０】
このように、手袋開口部を閉塞可能な構成とすれば、例えば消毒作業用のウェアとして好適に用いることができる。すなわち、一般に消毒液を噴霧するような作業では、噴霧器を上向きにして使用することも多いが、本手袋付きウェアを用いれば、消毒液が滴って袖口などから浸入することもない。
【００３１】
さらに、前記手袋の手甲面側に発熱剤パックや吸湿剤パックなどを収納するパック収納部を設けるとよい。
【００３２】
かかる構成により、手袋内部の保温効果や湿気除去などによる効果が生起する。このように、手袋を快適に使用するための機能を付加することができるようになるので、さらに快適に使用できる。
【００３３】
また、前記手袋を前記手袋収納部から取り出した状態で、前記手袋を前記手袋収納部の表面に保持する手袋保持手段を備える構成とすることができる。
【００３４】
手袋保持手段としては、面ファスナーを用いれば、手袋を前記手袋収納部の表面に保持することもきわめて簡単となる。すなわち、手袋を使用していた状態から手袋を外す必要が生じた場合、手袋をいちいち手袋収納部内に収納することなく、簡単に手袋を手袋収納部の表面において保持することができるので、使い勝手がより向上する。
【００３５】
以下、本発明の実施の形態に係る手袋付きウェアについて、図面を参照しながらより具体的に説明する。
【００３６】
（実施の形態１）
図１は本実施形態の手袋付きウェアの平面図であり、図２はその着用状態を示す説明図であり、図３は手袋収納部に収納された手袋の説明図であり、図４は手袋収納部から手袋を引き出した状態の説明図である。
【００３７】
図１〜図４において、１０は本実施形態に係る手袋付きウェアであり、レインコートや作業着などのウェア本体１１に左右の袖部１１ａが形成されている。１２はこれら左右の袖部１１ａの袖口１３に設けた手袋収納部であり、前記袖口近傍に収納開口部１２ａが形成されている。
【００３８】
前記手袋収納部１２に出し入れ自在に収納される手袋１４はミトン状としており、使用時に簡単に手を挿入できるようにしている。この手袋１４は、前記手袋収納部１２の収納開口部１２ａ周縁に、指先を入れる手袋の開口部の一部が一体に縫製されている。
【００３９】
また、前記収納開口部１２ａに隣接するように、この収納開口部１２ａを開閉自在に封止するカバー部１５の基端を前記袖口１３に縫着している。そして、このカバー部１５の内側面と前記手袋収納部１２の表面には面ファスナー１５ａを設けている。
【００４０】
１６は手袋収納部１２から手袋１４を取り出して手に装着したときに手首部分となる手袋開口部１４ａ及び袖口１３を密閉するためのカバー状の手首シール部であり、手袋１４の掌側に裾状に連設され、この手首シール部１６の内側面及び袖口１３には、面ファスナーからなるシール係止部１６ａが設けられている。なお、面ファスナーに代えてボタンなどを用いることもできる。
【００４１】
また、１７は袖口１３にゴムなどの伸縮材で形成された袖口ベルト、１８は手首が挿入された袖口ベルト１７を固定するための貼り付け取り外し可能な面ファスナー部である。
【００４２】
上記構成の手袋付きウェア１０は、特にレインコート類として用いるのに好適であるが、その他にもカジュアルウェア、スポーツウェア、作業着としても用いることができる。すなわち、前記両袖部１１ａ，１１ａにそれぞれ袋状に縫製されるとともに、手袋１４の基端部を縫着してこの手袋１４を収納可能とした手袋収納部１２が配置され、必要に応じて収納された手袋１４を前記手袋収納部１２から取り出して手に装着することができるウェアであればよい。
【００４３】
前述したように、手袋収納部１２はその収納開口部１２ａを覆うためのカバー部１５を備えており、手袋１４の収納時においては殆ど目立つことなく手袋１４を保持することができる。このカバー部１５は、面ファスナー１５ａやボタンなどを介して閉じることができ、これによって、手袋１４を袖部１１ａの手袋収納部１２に見栄えよく収納することができる。
【００４４】
ここで、手袋１４として本実施形態ではミトン状のものとしたが、五本指を備えるタイプにも適用できる。また、手袋１４はウェア本体１１と同一の素材、例えば、ナイロン、アクリル、ポリエステル、ビニロンなどの生地からなり、ウェア本体１１の袖部１１ａに一体に縫製され、必要に応じて防水加工などの表面処理が施される。
【００４５】
また、手袋１４には、その手袋開口部１４ａから延設された手首シール部１６が設けられており、帯状に形成された面ファスナーからなるシール係止部１６ａが手首シール部１６に着脱される。この手首シール部１６の装着によって、外部の寒気などが袖口１３から入り込まないようにして防寒性や防水性を高めている。
【００４６】
袖口ベルト１７は長手方向に伸縮性を有し且つ防水性を有するゴム紐などのベルト状基材により形成され、着用者の手首形状に沿って伸長させるようになっている。これによって袖口ベルト１７の内周面が着用者の手首にフィットするようにしている。そして、袖口ベルト１７の外周面には、面ファスナー部１８の雄部又は雌部の一方が設けられ、引っ張られた紐状などの延在部１８ａを巻き付けることで着用者の手首にフィットさせた状態に保持できるようになっている。こうして、着用者の手首の全周に亘って、袖口ベルト１７の内周面を有効に密接させることができる。
【００４７】
なお、前記袖口ベルト１７は、前記袖部１１ａの手首側を二重構造として、内側の生地に設けることもできる。この場合、袖口ベルト１７を固定するための前記面ファスナー部１８は廃止しても構わない。
【００４８】
以上のように構成された本実施形態に係る手袋付きウェア１０における手袋の装着方法について図面を参照しながら説明する。
【００４９】
図５（ａ）は手袋収納部１２内に手袋１４が収納された状態の説明図であり、図５（ｂ）は手袋収納部１２から手袋１４を引き出した状態の説明図であり、図５（ｃ）は手袋１４を手に装着した状態の説明図である。
【００５０】
図５（ａ）に示すように手袋１４の不使用時においては、手袋１４を折り畳んだ状態で手袋収納部１２内に収納し、カバー部１５を面ファスナー１５ａに貼り付けて収納開口部１２ａを塞いでおく。このようにして、手袋１４の不使用時においては、手袋１４をウェア本体１１に見栄え良く保持したままで何ら支障なく、運動や作業を行うことができる。
【００５１】
防寒などのために手袋１４を装着する場合は、図５（ｂ）に示すように、カバー部１５を面ファスナー１５ａから外して、手袋収納部１２に収納された手袋１４を引き出す。なお、この手袋１４の引き出しの際に便利なように、紐状の滑り難い引き出しタブ（図示せず）などを手袋１４に設けることもできる。これによって、片手が手袋１４で装着されているときでも、容易に片方側の手袋１４をその手袋収納部１２から容易に取り出すことができる。
【００５２】
つぎに、手袋１４の手首側の手袋開口部１４ａから指先を挿入する。さらに、手袋開口部１４ａから延設された手首シール部１６を手首の上から袖口１３に設けたシール係止部１６ａに係止して、図５（ｃ）に示すように腕から先の部分全体を略密閉させた状態に保持させることができる。
【００５３】
以上のようにして、手袋１４をウェア本体１１に保持したままで、その着脱を行うことができるので、取り扱いの利便性に優れると共に、袖口１３の隙間から寒気や雨水等が入り込むことがなく、いつでも快適に用いることができる。特に、冬場などに、自転車、自動二輪などの単車に乗る場合に、別途防寒用の手袋類を用意する必要がなく、極めて利便性が高い。また、ウェア本体１１がレインウェアであれば、雨天時の単車運転時にも有用となる。
【００５４】
また、雨天時以外であっても、屋外作業の場合、手袋１４を装着した状態で作業すれば手の日焼けを効果的に防止することができる。
【００５５】
さらに、例えばウェア本体１１を、消毒作業用のウェアとして用いると、室内の場合であっても、庭や果樹園などを含む屋外であっても、消毒作業においては消毒用の噴霧器を上向きにして使用することが多いが、そのような場合でも消毒液が滴って袖口１３から浸入することもなく安全である。
【００５６】
ところで、上述してきた実施形態では、手袋１４及び手袋収納部１２を、袖部１１ａの手の甲側、すなわち、手袋付きウェア１０を着た状態で腕を自然に垂下させた状態で外側に配設したものとして説明したが、その反対側である掌側に設けてもよい。
【００５７】
（実施の形態２）
図６は他の実施形態に係る手袋付きウェアにおける要部の拡大説明図である。なお、本実施形態に係る手袋付きウェアは、手袋の部分を除いて、先の実施の形態１で説明した手袋付きウェア１０とその主要構成が同じであるので、同様の機能を有するものについては同一の符号を付してその説明を省略する。
【００５８】
図６において、２０は本実施形態に係る手袋付きウェアであり、レインコートなどからなる。２１はこのウェア本体１１の袖部１１ａに一体に形成された手袋であり、同手袋２１に手を入れるための開口部の一部が前記袖部１１ａに縫製されている。
【００５９】
かかる構成において、本実施形態では、前記手袋２１の手甲面側に、袋状に形成された発熱剤パックや吸湿剤パックなどを収納するためのパック収納部２２を設けたことに特徴がある。バック収納部２２には、手袋２１の手甲面側発熱剤パックや吸湿剤パック、小物、紙幣などを出し入れするためのパック開口部２３が形成されている。
【００６０】
また、前記手袋２１はウェア本体１１と同様の防水性布地などからなり、その手袋２１の内側に、通気性を有する細孔が多数形成されたシートや網状の織布、不織布などにより袋状に形成されたパック収納部２２を有している。このパック収納部２２のパック開口部２３を開いて、その中に発熱剤パックや、吸湿剤パックなどを入れたり、紙幣や小物などを入れたりして用いたりすることもできる。
【００６１】
発熱剤パックは、鉄粉のような金属粉に対し水、活性炭、木粉、食塩などの助剤を混合したものを通気性の袋内に収容したものである。この金属粉が、酸素（空気）の供給により発熱するので、包装密封袋を開封することでカイロとしての発熱を所定時間維持させることができる。これによって、寒気の厳しいときでもその手元を効果的に温めることができ、野外における汎用性に優れている。
【００６２】
また、吸湿剤パックとしては、生石灰やシリカゲル等の吸湿剤を偏平状の密封袋等に収納したものが適用できる。
【００６３】
これらの発熱剤や吸湿剤を保持する密封袋は、例えば、通気性樹脂層と非通気性樹脂層とからなっている。この場合、密封状態の保存性に優れると共に、使用時には通気性樹脂層と非通気性樹脂積からなる積層フイルムを切欠の箇所から所定巾で引き裂いて部分的に除去し、通気性樹脂層を露出させることで簡単に吸湿や発熱を開始させることができる。
【００６４】
以上説明してきたように、本実施形態に係る手袋付きウェア２０は、パック収納部２２が手袋２１の内部に設けられ、パック開口部２３から使い捨てカイロなどの発熱剤パックや手袋内の湿気を除去する吸湿剤パックなどを必要に応じて収納できるので、手袋内部の保温効果や湿気除去などによる快適使用効果などの機能を付加して、さらに快適に使用できる手袋付きウェアとして提供することができる。このように、本実施形態に係る手袋付きウェア２０を用いれば、防寒性が著しく向上し、特に寒さが厳しいときに単車などに乗る場合、ハンドルをもつ手の耐えがたい寒さを大きく緩和して快適な運転が行える。
【００６５】
（実施の形態３）
さらなる他の実施形態として、手袋付きウェアを図７に示す構成とすることができる。図７は本実施形態に係る手袋付きウェアの要部拡大説明図である。
【００６６】
なお、本実施形態に係る手袋付きウェアは、手袋の部分を除いて、先の実施の形態１及び実施の形態２で説明した手袋付きウェア１０，２０とその主要構成が同じであるので、同様の機能を有するものについては同一の符号を付してその説明を省略する。
【００６７】
図７において、３０はレインコートなどからなる本実施形態に係る手袋付きウェアであり、その袖部１１ａに手袋３１が一体に形成されるとともに、この手袋３１を収納する手袋収納部１２が前記袖部１１ａの近傍に形成されている。
【００６８】
本実施形態で特徴となる構成は、前記手袋収納部１２から取り出した手袋３１を、簡易的に保持可能な保持手段を設けたことにある。
【００６９】
すなわち、図７に示すように、前記手袋３１の指先部分近傍の甲側と、手袋収納部１２の上方位置にそれぞれ前記手袋保持手段としての面ファスナー３２を取付けている。当然ながら、一方には面ファスナー３２の雄部を、他方には雌部を取付ける。
【００７０】
かかる構成により、本実施形態では、図示するように、前記手袋３１を前記手袋収納部１２から取り出した状態において、前記面ファスナー３２，３２同士で結着することでいちいち手袋３１を前記手袋収納部１２内に収納しなくても、邪魔にならないように簡単に手袋を保持しておくことができる。
【００７１】
したがって、手袋３１を使用していた状態から手袋３１が不要になった場合、あるいは一旦手袋３１を外す必要が生じた場合などに、手袋３１を前記手袋収納部１２の表面上で保持することができることになり、手袋付きウェア３０としての使い勝手をより向上させることができる。
【００７２】
（実施の形態４）
また、さらなる他の実施形態として、手袋付きウェアを図８に示す構成とすることができる。図８（ａ）は本実施形態に係る手袋付きウェアの要部拡大平面図、図８（ｂ）は本実施形態に係る手袋付きウェアの要部拡大斜視図である。
【００７３】
なお、本実施形態に係る手袋付きウェア５０は、手袋の部分を除いて、先の実施の形態１〜実施の形態３で説明した手袋付きウェア１０，２０及び３０とその主要構成が同じであるので、同様の機能を有するものについては同一の符号を付してその説明を省略する。
【００７４】
本実施形態では、手袋５１を装着したときに、この手袋５１が不安定な状態にならないように、また装着感を良好にするために、手首部分を絞ることのできる絞り手段を設けている。
【００７５】
絞り手段としては、図８（ａ）に示すように、手袋５１の手首部分を周回するように紐体４１を挿通した紐通し部４２を形成し、紐体４１の一端に設けた絞り具４３の紐通し孔４３ａに紐体４１の他端を挿通した構成とすることができる。そして、紐体４１の他端を引っ張ることによって手袋５１の手首部分を簡単に絞ることが可能となっている。
【００７６】
また、絞り手段としては、その変形例として、図９に示すように面ファスナー５２を用いた構成とすることもできる。
【００７７】
これは、手袋５１の甲側の手首部分に雌部と雄部とからなる面ファスナー５２，５２を取付けたもので、より簡便に手袋５１の手首部分を絞った状態で保持することができる。
【００７８】
このように、手袋５１に、手首部分を絞る絞り手段を設けることにより、手袋５１の装着時の装着感が向上し、また、手袋５１を安定した状態で装着することができ、手を使っての作業も行いやすくなる。
【００７９】
ところで、本実施形態に係る手袋５１は、図８（ａ）に示すように、掌部に多数の凸部５３を形成して滑り止め加工を施している。この滑り止め加工によって、手袋５１をしての手作業がより行いやすくなり、特に、雨中での手作業に効果を奏する。また、例えば雨中で単車に乗っている場合、ハンドルを握るときのグリップ力が向上し、操作性が良好となって安全性を高めることができる。
【図面の簡単な説明】
【００８０】
【図１】実施の形態１に係る手袋付きウェアの平面図である。
【図２】同着用状態を示す説明図である。
【図３】手袋収納部に収納された手袋の説明図である。
【図４】手袋収納部から手袋を引き出した状態の説図である。
【図５】（ａ）手袋収納部に手袋が収納された状態の説明図である。
【００８１】
（ｂ）手袋収納部から手袋を引き出した状態の説明図である。
【００８２】
（ｃ）手袋に手を装着した状態の説明図である。
【図６】実施の形態２に係る手袋付きウェアにおける拡大斜視図である。
【図７】実施の形態３に係る手袋付きウェアにおける拡大斜視図である。
【図８】（ａ）同実施の形態４に係る手袋付きウェアにおける要部拡大平面図である。
【００８３】
（ｂ）同実施の形態４に係る手袋付きウェアにおける拡大拡大斜視図である。
【図９】同実施の形態４に係る手袋付きウェアの変形例を示す説明図である。
【符号の説明】
【００８４】
１０  実施の形態１の手袋付きウェア
１１  ウェア本体
１１ａ  袖部
１２  手袋収納部
１２ａ  収納開口部
１３  袖口
１４  手袋
１４ａ  手袋開口部
１５  カバー部
１５ａ  面ファスナー
１６  手首シール部
１６ａ  シール係止部
１７  袖口ベルト
１８  面ファスナー部
１８ａ  延在部
２０  実施の形態２の手袋付きウェア
２１  手袋
２２  パック収納部
２３  パック開口部
３０  実施の形態３の手袋付きウェア
３１  手袋
３２  紐通し部
４１  紐体
４３  絞り具
４３ａ  紐通し孔
５０  実施の形態４の手袋付きウェア
５１  手袋
５２  面ファスナー
５３  凸部
【図１】
2004346474.tif 000003
【図２】
2004346474.tif 000004
【図３】
2004346474.tif 000005
【図４】
2004346474.tif 000006
【図５】
2004346474.tif 000007
【図６】
2004346474.tif 000008
【図７】
2004346474.tif 000009
【図８】
2004346474.tif 000010
【図９】
2004346474.tif 000011